(57)【要約】      （修正有）【課題】応用の作用により変形する恐れや反弾性応用を生成する恐れがないフラット型粘着テープを提供する。【解決手段】一つの中心部分２Ａ１０と一つの基材２Ａ２０を含む。中心部分が硬張性フラット状界面層２Ａ１２，２Ａ１３を含み、該硬張性フラット状界面層２Ａ１２，２Ａ１３が切欠２Ａ１１を一つ有し、更に該基材２Ａ２０が塗布粘着剤層を一つ有し、粘着剤層を塗布してなる基材が、該切欠を有する硬張性フラット状界面層を、中心部分として巻付状に形成する。【選択図】図２Ａ
0003172423.tif 000002
【実用新案登録請求の範囲】
【請求項１】
一つの中心部分と一つの基材を含む、フラット型粘着テープであって、
該中心部分が硬張性フラット状界面層を一つ含み、該硬張性フラット状界面層が切欠を一つ有し、
更に該基材が塗布粘着剤層を一つ有し、該基材が該中心部分を廻り込むことを特徴とするフラット型粘着テープ。
【請求項２】
該硬張性フラット状界面層が一つの上界面層と一つの下界面層を含み、該上界面層と該下界面層の両者が等長であることを特徴とする、請求項１に記載のフラット型粘着テープ。
【請求項３】
該硬張性フラット状界面層が一つの上界面層と一つの下界面層を含み、該上界面層と該下界面層の両者が不等長であることを特徴とする、請求項１に記載のフラット型粘着テープ。
【請求項４】
該硬張性フラット状界面層の材料が、紙、合成紙、プラスチック又は金属材料の何れか一つの材料から選ばれることを特徴とする、請求項１に記載のフラット型粘着テープ。
【請求項５】
該基材が、紙、合成紙、布、不織布、プラスチック又は金属箔材料の何れか一つの材料であることを特徴とする、請求項１に記載のフラット型粘着テープ。
【請求項６】
該塗布粘着剤層が、単面塗布粘着剤、両面塗布粘着剤又は間隔条状塗布粘着剤の何れか一つの粘着剤であるあることを特徴とする、請求項１に記載のフラット型粘着テープ。
【考案の詳細な説明】
【技術分野】
【０００１】
本考案は、粘着テープ（a  flat  adhesive  tape）に係り、その中心部分の硬張性フラット状界面層に切欠を有し、粘着剤層を塗布してなる基材を含み、前記の粘着剤層を塗布してなる基材が、該切欠を有する硬張性フラット状界面層を、中心部分として巻付状に形成することにより、得られるフラット型粘着テープに関する。
【背景技術】
【０００２】
図１Ａ又は図１Ｂと図１Ｃに示すように、伝統的な粘着テープ（1A00）、（1B00）、（1C00）は、便利に製造するために、中空ライナー円形紙管またはプラスチック管（1A10）を帯びるように設計する。近年、中空フラット状の紙管またはプラスチック管（1B10）を、ライナー材料として利用することもある。
【０００３】
その他に、伝統的に円形紙管またはプラスチック管の粘着テープをフラット状に直接圧延し、フラット状粘着テープを形成する。然しながら、このような直接圧延方式は、粘着テープの中心部分の紙管またはプラスチック管について応力の作用により変形する恐れがあり、従って粘着テープの外観面に皺現象を生成することを招く以外に、粘着テープ製品の美観に影響を及ぼす。その他に変形された粘着テープ自身は、反弾性応力を更に有する恐れがあるので、既に平らに圧延されたフラット粘着テープが、元来既に形成されたフラット状をまだ失う。更に伝統的な技術上では、この変形粘着テープ自身の反弾性応力作用を克服するために、粘着テープの中心部分の紙管またはプラスチック管に粘着剤を塗布できるが、但しこの方式が生産コストを増加させる。
【０００４】
前記の欠点を解決するために、本考案の完成に至る。
【考案の概要】
【考案が解決しようとする課題】
【０００５】
本考案の主要な目的は、フラット型粘着テープを提供するもので、その中心部分の硬張性フラット状界面層の片側に切欠があり、応力の作用により変形する恐れがなく、粘着テープの外観面に皺現象を生成することを招かず、粘着テープの製品が美観となり、粘着テープ自身の反弾性応力を生成する恐れがなく、元来既に形成されたフラット状を保持することができるフラット型粘着テープを提供することにある。
【０００６】
本考案の他の目的は、フラット型粘着テープを提供するもので、中心部分の硬張性フラット状界面層の上界面層と下界面層との間に粘着剤を塗布する必要がなく、従って生産コストを節約できるフラット型粘着テープを提供することにある。
【課題を解決するための手段】
【０００７】
前記の目的を達成できるフラット型粘着テープは、主として一つの中心部分と一つの基材を含み、その中でも、該中心部分が硬張性フラット状界面層を一つ含み、その中でも、該硬張性フラット状界面層が切欠を一つ有し、更に該基材が塗布粘着剤層を一つ有し、その中でも、該基材が該中心部分を廻り込む。該粘着テープの特徴は、その中心部分の硬張性フラット状界面層が切欠を有するものである。本考案の使用する粘着テープは、下記の構造：粘着剤層を塗布してなる基材を含む。該粘着剤層を塗布してなる基材が、該切欠を有する硬張性フラット状界面層を、中心部分として巻付状に形成することにより、フラット型粘着テープを形成する。
【０００８】
本考案のフラット型粘着テープは、その中心部分の硬張性フラット状界面層が、紙，合成紙，プラスチック又は金属材料を使用できる。本考案のフラット型粘着テープは、その中心部分の硬張性フラット状界面層が、片側に切欠があり、上界面層と下界面層を形成し、上界面層と下界面層の両者が等長で或いは両者が不等長であってもよい。本考案のフラット型粘着テープは、その塗布粘着層の基材が、紙，合成紙，布，不織布，プラスチック又は金属箔（例えば銅箔またはアルミ箔）材料を使用できる。
【図面の簡単な説明】
【０００９】
【図１Ａ】従来の中空ライナー円形硬質紙管またはプラスチック管粘着テープである中心部分を、帯びる断面模式図である。
【図１Ｂ】従来の中空フラット状紙管またはプラスチック管である中心部分を、帯びるフラット型粘着テープの断面模式図である。
【図１Ｃ】従来のフラット状態を失う粘着テープの断面模式図である。
【図２Ａ】本考案の実施例１、２のフラット状粘着テープの断面模式図である。
【図２Ｂ】本考案の実施例３、４のフラット状粘着テープの断面模式図である。
【図２Ｃ】本考案の実施例３、４のフラット状粘着テープの断面模式図である。
【図３Ａ】本考案の実施例１、３のフラット状粘着テープの採用する単面に粘着剤層を、塗布してなる基材の断面模式図である。
【図３Ｂ】本考案の実施例２、４のフラット状粘着テープの採用する双面に粘着剤層を、塗布してなる基材の断面模式図である
【考案を実施するための形態】
【００１０】
本考案は、下記の実施例により、例を挙げて説明するが、但し本考案の権利保護範囲が該等実施例に限定されない。
【実施例１】
【００１１】
図２Ａと図３Ａに示すように、本考案のフラット型粘着テープ（2A00）、（2B00）、（2C00）は、その中心部分の硬張性フラット状界面層（2A10）の使用する材料が紙板で、紙板が切欠（2A11）を一つ有し、該硬張性フラット状界面層の上界面層（2A12）と下界面層（2A13）を形成し、上界面層と下界面層の両者が等長である。その塗布粘着剤層の基材（2A20）が2軸延伸ポリプロピレン薄膜（BOPP）を使用し、単面に粘着剤を塗布し、且つ該切欠を有する硬張性フラット状界面層を中心部分として巻付状に形成する。
【実施例２】
【００１２】
図２Ａと図３Ｂとの結合に示すように、本考案のフラット型粘着テープは、その中心部分の硬張性フラット状界面層（2A10）の使用する材料が紙板で、紙板が切欠（2A11）を一つ有し、該硬張性フラット状界面層の上界面層（2A12）と下界面層（2A13）を形成し、上界面層と下界面層の両者が等長である。その塗布粘着剤層の基材（2A20）が2軸延伸ポリプロピレン薄膜（BOPP）を使用し、両面に粘着剤を塗布し、且つ該切欠を有する硬張性フラット状界面層を中心部分として巻付状に形成する。
【実施例３】
【００１３】
図２Ｂ又は図２Ｃと図３Ａとの結合に示すように、本考案のフラット型粘着テープは、その中心部分の硬張性フラット状界面層（2B10、2C10）の使用する材料が紙板で、紙板が切欠（2B11、2C11）を一つ有し、該硬張性フラット状界面層の上界面層（2B12、2C12）と下界面層（2B13、2C13）を形成し、上界面層と下界面層の両者が不等長である。その塗布粘着剤層の基材（2B20、2C20）が2軸延伸ポリプロピレン薄膜（BOPP）を使用し、単面に粘着剤を塗布し、且つ該切欠を有する硬張性フラット状界面層を中心部分として巻付状に形成する。
【実施例４】
【００１４】
図２Ｂ又は図２Ｃと図３Ｂとの結合に示すように、本考案のフラット型粘着テープは、その中心部分の硬張性フラット状界面層（2B10、2C10）の使用する材料が紙板で、紙板が切欠（2B11、2C11）を一つ有し、該硬張性フラット状界面層の上界面層（2B12、2C12）と下界面層（2B13、2C13）を形成し、上界面層と下界面層の両者が不等長である。その塗布粘着剤層の基材（2B20、2C20）が2軸延伸ポリプロピレン薄膜（BOPP）を使用し、双面に粘着剤を塗布し、且つ該切欠を有する硬張性フラット状界面層を中心部分として巻付状に形成する。
【００１５】
本考案のフラット型粘着テープは、粘着テープ自身の反弾応力を解決して元来既に形成されたフラット状を保持できる以外に、更にその中心部分の硬張性フラット状界面層の片側に切欠があるので、応力の作用により変形する恐れがなく、粘着テープの外観面の皺現象を招かず、粘着テープの製品が美観となる。
【符号の説明】
【００１６】
1A00、1B00、1C00：従来技術の粘着テープ
1A10：中空ライナー円形紙管またはプラスチック管
1B10：中空フラット状紙管またはプラスチック管
2A00、2B00、2C00：本考案のフラット型粘着テープ
2A10、2B10、2C10：硬張性フラット状界面層である中心部分
2A11、2B11、2C11：中心部分が硬張性フラット状界面層である切欠
2A12、2B12、2C12：中心部分が硬張性フラット状界面層である上界面層
2A13、2B13、2C13：中心部分が硬張性フラット状界面層である下界面層
2A20、2B20、2C20：粘着剤層を塗布してなる基材
201：粘着剤層
202：基材
【図１Ａ】
0003172423.tif 000003
【図１Ｂ】
0003172423.tif 000004
【図１Ｃ】
0003172423.tif 000005
【図２Ａ】
0003172423.tif 000006
【図２Ｂ】
0003172423.tif 000007
【図２Ｃ】
0003172423.tif 000008
【図３Ａ】
0003172423.tif 000009
【図３Ｂ】
0003172423.tif 000010